(57)【特許請求の範囲】
【請求項１】
透液性の表面シートと、不透液性の裏面シートと、前記表面シートと前記裏面シートとの間に介装される吸収体とからなるペット用吸収性シートにおいて、
短辺及び長辺を有する平面視略長方形状を呈し、
前記長辺に沿って延在する剛性強化部を備え、
当該剛性強化部は、前記表面シートと前記吸収体との間においてホットメルト型接着剤により接着された接着部を含むことを特徴とするペット用吸収性シート。
【請求項２】
透液性の表面シートと、不透液性の裏面シートと、前記表面シートと前記裏面シートとの間に介装される吸収体とからなるペット用吸収性シートにおいて、
短辺及び長辺を有する平面視略長方形状を呈し、
前記長辺に沿って延在する剛性強化部を備え、
当該剛性強化部は、前記裏面シートの外面に設けられるテープ部材を含むことを特徴とするペット用吸収性シート。
【請求項３】
透液性の表面シートと、不透液性の裏面シートと、前記表面シートと前記裏面シートとの間に介装される吸収体とからなるペット用吸収性シートにおいて、
短辺及び長辺を有する平面視略長方形状を呈し、
前記長辺に沿って延在する剛性強化部を備え、
当該剛性強化部は、前記吸収体の前記表面シート側に設けられ、バインダで繊維を接合して形成されたエアレイド層を含むことを特徴とするペット用吸収性シート。
【請求項４】
前記剛性強化部は、前記表面シートが内側となるよう折り畳み可能とする折り畳み線を含むことを特徴とする請求項１〜３の何れか一項に記載のペット用吸収性シート。
【請求項５】
前記剛性強化部は、前記吸収体が他の部分より薄く、かつ高密度に形成されているエンボス加工部を含むことを特徴とする請求項１〜４の何れか一項に記載のペット用吸収性シート。
【請求項６】
前記エンボス加工部は、厚さ方向の深さが互いに異なる高圧縮部及び低圧縮部を備えることを特徴とする請求項５に記載のペット用吸収性シート。
【請求項７】
前記エンボス加工部は、前記ペット用吸収性シートの長手両側縁部において、当該ペット用吸収性シートの短手方向両端から予め設定された所定の位置に設けられることを特徴とする請求項５又は６に記載のペット用吸収性シート。
【発明の詳細な説明】
【技術分野】
【０００１】
本発明は、ペット用吸収性シートに関する。
【背景技術】
【０００２】
従来、犬、猫等のペットが排泄した尿等を吸収するためのペット用吸収性シートが普及している（例えば、特許文献１参照）。ペット用吸収性シートは、近年のペットの飼育形態の多様化により、毎日交換する必要のあるものから、数日間に一度交換すればよいという比較的長期に亘って使用が可能なものへと移行しつつある。
【０００３】
このようなペット用吸収性シートは、例えば、ペットの排泄物を処理するためのペット用トイレにセットして使用される。
ペット用トイレとしては、例えば、トイレ本体を液透過性の簀の子により上下に区画して、上層部分に便床を形成する粒状の排泄物処理材を敷設し、下層部分の引き出し可能なトレーに上記したペット用吸収性シートを敷設して使用する二層式のものが知られている。
こうしたペット用トイレでは、上層部分に敷設された排泄物処理材が、ペットの排泄液を素早く通過させ、通過した排泄液を簀の子の通液孔を介して下層部分に落下させ、落下した排泄液を下層部分のトレーに敷設したペット用吸収性シートに吸収させる。
トレーは一般に平面視略長方形状であって、ペット用吸収性シートをセットする際には、トイレ本体から引き出され、ペット用吸収性シートは、その長手方向一端部からトレー内に挿入されるようになっている。
【０００４】
ペット用吸収性シートとしては、透液性の表面シートと、不透液性の裏面シートと、表面シート及び裏面シートの間に介装される吸収体とを備え、平面視略長方形状に形成されたものが知られている。かかるペット用吸収性シートは、一般に、図１５に示すように、その幅方向（短手方向）に平行な折り畳み線Ｓ１１、Ｓ１２を備え、この折り畳み線Ｓ１１、Ｓ１２により折り畳まれた状態で包装され、使用時に展開されて平面状態とされる。
【先行技術文献】
【特許文献】
【０００５】
【特許文献１】特開２０１０−５１２６１号公報
【発明の概要】
【発明が解決しようとする課題】
【０００６】
しかしながら、上記したペット用吸収性シートは、折り畳み線Ｓ１１、Ｓ１２が幅方向に平行であるため、この折り畳み線Ｓ１１、Ｓ１２がトレーへの挿入方向に対して垂直となり、図１６に示すように、トレーへの挿入時にペット用吸収性シートが撓みやすく、当該シートを挿入しづらいばかりか挿入後にトレーとの間に隙間が発生し易いものであった。
このため、ペット用トイレの上層部から排泄液が流れてきた場合に、ペット用吸収性シートがこれを受け止めきれずにモレが発生し、結果として臭いを発生させてしまうという問題があった。かかる問題は、比較的長期に亘って使用するペット用吸収性シートにおいては特に顕著である。
【０００７】
本発明の課題は、ペット用トイレのトレーに挿入し易く、且つ挿入後にトレーとの間に隙間の発生しづらいペット用吸収性シートを提供することである。
【課題を解決するための手段】
【０００８】
上記課題を解決するため、請求項１に記載の発明は、
透液性の表面シートと、不透液性の裏面シートと、前記表面シートと前記裏面シートとの間に介装される吸収体とからなるペット用吸収性シートにおいて、
短辺及び長辺を有する平面視略長方形状を呈し、
前記長辺に沿って延在する剛性強化部を備え、
当該剛性強化部は、前記表面シートと前記吸収体との間においてホットメルト型接着剤により接着された接着部を含むことを特徴とする。
請求項２に記載の発明は、
透液性の表面シートと、不透液性の裏面シートと、前記表面シートと前記裏面シートとの間に介装される吸収体とからなるペット用吸収性シートにおいて、
短辺及び長辺を有する平面視略長方形状を呈し、
前記長辺に沿って延在する剛性強化部を備え、
当該剛性強化部は、前記裏面シートの外面に設けられるテープ部材を含むことを特徴とする。
請求項３に記載の発明は、
透液性の表面シートと、不透液性の裏面シートと、前記表面シートと前記裏面シートとの間に介装される吸収体とからなるペット用吸収性シートにおいて、
短辺及び長辺を有する平面視略長方形状を呈し、
前記長辺に沿って延在する剛性強化部を備え、
当該剛性強化部は、前記吸収体の前記表面シート側に設けられ、バインダで繊維を接合して形成されたエアレイド層を含むことを特徴とする。
【０００９】
また、請求項４に記載の発明は、請求項１〜３の何れか一項に記載のペット用吸収性シートにおいて、
前記剛性強化部は、前記表面シートが内側となるよう折り畳み可能とする折り畳み線を含むことを特徴とする。
【００１０】
また、請求項５に記載の発明は、請求項１〜４の何れか一項に記載のペット用吸収性シートにおいて、
前記剛性強化部は、前記吸収体が他の部分より薄く、かつ高密度に形成されているエンボス加工部を含むことを特徴とする。
【００１１】
また、請求項６に記載の発明は、請求項５に記載のペット用吸収性シートにおいて、
前記エンボス加工部は、厚さ方向の深さが互いに異なる高圧縮部及び低圧縮部を備えることを特徴とする。
【００１２】
また、請求項７に記載の発明は、請求項５又は６に記載のペット用吸収性シートにおいて、
前記エンボス加工部は、前記ペット用吸収性シートの長手両側縁部において、当該ペット用吸収性シートの短手方向両端から予め設定された所定の位置に設けられることを特徴とする。
【発明の効果】
【００１６】
本発明によれば、ペット用吸収性シートは、短辺及び長辺を有する平面視略長方形状を呈し、長辺に沿って延在する剛性強化部を備えている。
このため、ペット用吸収性シートの長手方向の剛性が高められ、当該シートをペット用トイレのトレーに長手方向一端部から挿入する場合にシートが撓むのを防止することができるので、トレーに挿入し易く、且つ挿入後にトレーとの間に隙間が発生しづらくなる。
よって、ペット用トイレの上層部分から排泄液が流れてきた場合に、ペット用吸収性シートがこれを受け止めきれずにモレが発生するという事態が起こりづらく、かかるモレに起因する臭いが発生するのを防止することができる。
【図面の簡単な説明】
【００１７】
【図１】本発明の実施の形態に係るペット用吸収性シートの一例を示す平面図である。
【図２】図１のＩＩ−ＩＩ線における断面図である。
【図３】図１のペット用吸収性シートを折り畳んだ様子を示す図である。
【図４】図１のペット用吸収性シートをペット用トイレのトレーに挿入する様子を示す図である。
【図５】ペット用吸収性シートの折り畳み線の位置を変更した一例を示す平面図である。
【図６】変形例１に係るペット用吸収性シートの一例を示す平面図である。
【図７】図６のＶＩＩ−ＶＩＩ線における断面図である。
【図８】（ａ）は、図６のエンボス加工部を示す拡大平面図であり、（ｂ）は、Ａ−Ａ線における断面図である。
【図９】変形例２に係るペット用吸収性シートの一例を示す平面図である。
【図１０】図９のＸ−Ｘ線における断面図である。
【図１１】変形例３に係るペット用吸収性シートの一例を示す平面図である。
【図１２】図１１のＸＩＩ−ＸＩＩ線における断面図である。
【図１３】変形例４に係るペット用吸収性シートの一例を示す平面図である。
【図１４】図１３のＸＩＶ−ＸＩＶ線における断面図である。
【図１５】従来のペット用吸収性シートの一例を示す平面図である。
【図１６】従来のペット用吸収性シートの問題点を説明するための図である。
【発明を実施するための形態】
【００１８】
以下、本発明の実施形態を、図面を用いて詳細に説明する。ただし、発明の範囲は、図示例に限定されない。
【００１９】
先ず、構成について説明する。
本実施形態に係るペット用吸収性シート１は、例えば、図１に示すように、短辺及び長辺を有する平面視略長方形状に形成され、表面からペットにより排泄された排泄物の水分をシート内に吸収することができるものである。
なお、以下の説明においては、ペット用吸収性シート１の長辺に沿った長手方向をＸ方向とし、Ｘ方向と直交する短手方向（幅方向）をＹ方向とする。また、ペット用吸収性シート１の厚さ方向をＺ方向とする。
【００２０】
ペット用吸収性シート１は、例えば、図１、２に示すように、尿などの液体を速やかに透過させる透液性の表面シート１１と、表面シート１１の裏面側に配置される不透液性の裏面シート１２と、これら表面シート１１と裏面シート１２との間に介装される吸収体１３と等を備えて構成されている。
【００２１】
表面シート１１は、吸収体１３の天面を覆う大きさに設けられている。表面シート１１は、透液性であって、有孔または無孔の不織布や、多孔性プラスチックシートなどにより形成されている。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維を用いることができる。また、不織布を製造する方法としては、公知の方法を適宜用いることができ、例えば、スパンレース法、スパンボンド法、サーマルボンド法、メルトブロー法、ニードルパンチ法、或いはこれらを組み合わせた方法等によって不織布を製造することができる。
表面シート１１に多数の透孔を形成した場合には、尿等の液体がより速やかに吸収されるようになり、ドライタッチ性に優れたものとなる。
【００２２】
裏面シート１２は、吸収体１３底面を覆い、さらに吸収体１３の端面を覆って、吸収体１３上面の長手両側縁部において、表面シート１１側に折り返される。そして裏面シート１２の折り返された部分の上面に、表面シート１１がホットメルト接着剤、ヒートシール、超音波シール等により接着されている。
裏面シート１２は、不透液性の素材であれば、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シートなどを例示することができる。また、このほかにも、マイクロデニール繊維を用いた不織布、熱や圧力をかけることで繊維の空隙を小さくすることによる防漏性強化、高吸水性樹脂または疎水性樹脂や撥水剤の塗工といった方法により、プラスチックフィルムを用いずに液不透過性としたシートも裏面シートとして用いることができる。また、裏面シート１２は、例えば、防漏シートと吸液シートを組み合わせたシートのように、その最外面が吸液性のものであってもよい。これにより、ペット用吸収性シート１同士の接合部から、万が一、尿等の液体のしみ出しがあった場合でも、少量であれば吸液シートにより吸液できるため、衛生的である。
【００２３】
吸収体１３は、尿等の水様成分を吸収するものであり、例えば、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。また、繊維集合体に、高吸水性樹脂（ＳＡＰ；Super Absorbent Polymer 以下「ＳＡＰ」と略す。）を組み合わせて吸収体を構成することもできる。
ＳＡＰとしては、カルボキシメチルセルロース、ポリアクリル酸およびその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨潤性ポリマーを部分架橋したもの、あるいはイソブチレンとマレイン酸との共重合体等が好適に用いられる。
さらに、消臭機能を持たせるため、消臭剤を吸収体１３に入れてもよい。消臭剤としては、例えば、活性炭や天然鉱物(例えば、ベントナイト、カオリナイト、カネマイト等)、合成無機物（ゼオライト、アモルファスシリカ等）を用いることができる。
なお、吸収体１３は、図示しないクレープ紙により包まれて形成されている。
【００２４】
このようなペット用吸収性シート１には、当該ペット用吸収性シート１をＹ方向（短手方向）に凡そ三等分する位置にＸ方向（長手方向）に沿って延在する２本の折り畳み線Ｓ１、Ｓ２が設けられると共に、ペット用吸収性シート１をＸ方向に凡そ二等分する位置にＹ方向に沿って延在する１本の折り畳み線Ｓ３が設けられている。
このため、ペット用吸収性シート１は、例えば、図３（ａ）、（ｂ）に示すように、折り畳み線Ｓ１、Ｓ２においてＹ方向に三つ折りされ、図３（ｃ）に示すように、折り畳み線Ｓ３においてＸ方向に二つ折りされた状態で包装可能であって、使用時において展開され、平面状態とされるようになっている。
ペット用吸収性シート１は、このように折り畳み線Ｓ１、Ｓ２、Ｓ３によりＹ方向及びＸ方向に小さく折りたたむことができるため、収納や持ち運びの利便性が高いものとなっている。
なお、折り畳み線Ｓ１、Ｓ２、Ｓ３は、表面シート１１、裏面シート１２、及び吸収体１３を積層した後、ペット用吸収性シート１を所定位置で折り畳むことで形成されるものである。
【００２５】
次に、作用について説明する。
本実施形態に係るペット用吸収性シート１は、例えば、ペットの排泄物を処理するためのペット用トイレ１００にセットして使用される。
【００２６】
ここで、ペット用トイレ１００について説明する。
ペット用トイレ１００は、例えば、図４に示すように、トイレ本体１０１と、トイレ本体１０１から引き出し可能なトレー１０２と、を備えて構成されている。
【００２７】
トイレ本体１０１は、上面の開放された略直方体形状の箱体であり、その内部が液透過性の簀の子１０１ａにより上下に区画されている。
トイレ本体１０１の簀の子１０１ａ上には、便床を形成する粒状の排泄物処理材（図示省略）が敷設される。
排泄物処理材としては、例えば植物由来の素材の粉砕物及び合成樹脂を含む成形物からなるものが用いられる。これらの成形物は、吸水率が好ましくは１〜１０％、より好ましくは１〜５％の低吸水性を備えることから、ペットが排泄する尿等の排泄液を素早く通過させて、簀の子１０１ａの透液孔１０１ｂを介して下層部分に落下させ、当該下層部分に配置されたトレー１０２内のペット用吸収性シート１に排泄液を積極的に吸収させるものである。
【００２８】
また、トレー１０２は、平面視略長方形状の盆状に形成されている。
トレー１０２は、ペット用吸収性シート１が敷設された状態でトイレ本体１０１の下層部分に配置され、簀の子１０１ａの透液孔１０１ｂを介して落下してきた排泄液を受け止める。
トレー１０２は、ペット用吸収性シート１を交換する際に、トイレ本体１０１の端面下部に形成された引き出し口１０１ｃから長手方向に沿って引き出される。
【００２９】
ペット用吸収性シート１は、このようなペット用トイレ１００のトレー１０２にセットされる際に、折り畳まれた状態から展開され、平面状態とされる。
平面状態とされたペット用吸収性シート１は、トイレ本体１０１から引き出した状態のトレー１０２に対して、Ｘ方向（長手方向）一端部から挿入される。
このとき、ペット用吸収性シート１の２つの折り畳み線Ｓ１、Ｓ２が、ペット用吸収性シート１のトレー１０２への挿入方向と一致しているため、当該ペット用吸収性シート１をトレー１０２に挿入する場合にペット用吸収性シート１の姿勢が維持されやすく、ペット用吸収性シート１が撓むのが防止されることとなる。
即ち、ペット用吸収性シート１のＸ方向に沿って延在する２本の折り畳み線Ｓ１、Ｓ２は、ペット用吸収性シート１のＸ方向の剛性を高める剛性強化部として機能しており、このため、ペット用吸収性シート１はトレー１０２に挿入し易く、且つ挿入後にトレー１０２との間に隙間が発生しづらいものとなっている。
【００３０】
なお、かかるペット用吸収性シート１と、従来のＹ方向（幅方向）に沿って延在する折り畳み線を有するペット用吸収性シートとを用い、トレーへの入れやすさを官能評価したところ、１０人中８人が本実施形態のペット用吸収性シート１の方が入れやすいと評価した。
【００３１】
以上のように、本実施形態によれば、ペット用吸収性シート１は、短辺及び長辺を有する平面視略長方形状を呈し、長辺に沿って延在する剛性強化部として、表面シート１１が内側となるよう折り畳み可能とする折り畳み線Ｓ１、Ｓ２が備えられている。
このため、ペット用吸収性シート１のＸ方向（長手方向）の剛性が高められ、当該ペット用吸収性シート１をペット用トイレ１００のトレー１０２に長手方向一端部から挿入する場合にペット用吸収性シート１が撓むのを防止することができるので、トレー１０２に挿入し易く、且つ挿入後にトレー１０２との間に隙間が発生しづらくなる。
よって、ペット用トイレ１００の上層部分から排泄液が流れてきた場合に、ペット用吸収性シート１がこれを受け止めきれずにモレが発生するという事態が起こりづらく、かかるモレに起因する臭いが発生するのを防止することができる。
【００３２】
なお、上記実施形態においては、折り畳み線Ｓ１、Ｓ２、Ｓ３を有する構成を例示して説明したが、折り畳み線の数はこれに限定されない。
また、上記実施形態においては、折り畳み線Ｓ１、Ｓ２が、ペット用吸収性シート１をＹ方向に凡そ三等分する位置にＸ方向に沿って設けられた構成を例示して説明したが、折り畳み線Ｓ１、Ｓ２の位置は、折り畳んだ後のコンパクト性、操業安定性の良好なものであればこれに限定されない。例えば、図５（ａ）〜（ｃ）に示すように、折り畳み線Ｓ１、Ｓ２の代わりに、ペット用吸収性シート１をＹ方向に観音折りとする位置にＸ方向に沿って延在する折り畳み線Ｓ４、Ｓ５を設けることとしても良い。
【００３３】
＜変形例１＞
次に、変形例１のペット用吸収性シート１Ａについて説明する。
変形例１のペット用吸収性シート１Ａは、例えば、図６、７に示すように、剛性強化部として、折り畳み線Ｓ１、Ｓ２の他に、吸収体１３をＺ方向（厚さ方向）に圧縮して形成されたエンボス加工部１４、１４を備えている。
【００３４】
エンボス加工部１４、１４は、当該ペット用吸収性シート１Ａの長手両側縁部においてＸ方向に沿って延在するよう形成されており、吸収体１３を圧縮して形成されることにより周囲と比較して硬度が高く、このため、Ｘ方向の剛性を高めることが可能となっている。
かかるエンボス加工部１４、１４は、例えば、１〜５ｍｍの幅で形成されることが好ましい。エンボス加工部１４、１４の幅が１ｍｍより小さいと、吸収体１３が寸断され剛性を高められない可能性があり、５ｍｍより大きいと、吸収体１３のＳＡＰの膨張を妨げる可能性が高くなるためである。
なお、エンボス加工部１４、１４は、例えば、繊維集合体やＳＡＰからなる吸収体をクレープ紙で包んで吸収体１３を形成した後、上面側からエンボスロールによりマシン流れ方向に平行に施されるものである。エンボス加工部１４、１４の施された吸収体１３は、下面側に備えられた裏面シート１２により長手両側縁部を上面側にかけて覆われ、その後、上面側から表面シート１１が備えられる。
また、吸収体１３に表面シート１１を貼り合わせた後、エンボス加工部１４、１４を施すことも可能である。
【００３５】
また、エンボス加工部１４としては、例えば、図８（ａ）（ｂ）に示すように、Ｚ方向の深さが互いに異なる高圧縮部１４１及び低圧縮部１４２を交互に設けることが好ましい。このようにすることで、エンボス加工後において、エンボス加工部１４の形状を保ちやすくすることができる。
【００３６】
このように構成することで、変形例１のペット用吸収性シート１Ａは、当該ペット用吸収性シート１Ａにおいて最も撓みやすい長手両側縁部の剛性が高まるため、当該ペット用吸収性シート１Ａをペット用トイレ１００のトレー１０２に長手方向一端部から挿入する場合にペット用吸収性シート１Ａが撓むのをより効果的に防止することができ、トレー１０２に挿入し易く、且つ挿入後にトレー１０２との間に隙間が発生しづらくなる。
また、ペット用吸収性シート１Ａの端部で排泄された場合、エンボス加工部１４、１４により吸収体密度が高められ排泄液が拡散されやすく、吸収体１３の吸収性能を有効利用することができる。また、ペット用吸収性シート１Ａの中央部で排泄された場合、エンボス加工部１４、１４が溝として機能し、端部への拡散が抑制できる。
更に、エンボス加工部１４、１４によりペット用吸収性シート１Ａを折り曲げることで、トレー１０２への適合性を向上させることができる。
従って、エンボス加工部１４、１４は、ペット用吸収性シート１Ａの長手両側縁部において、長手両側縁（Ｙ方向両端）から予め設定された所定の位置に設けられることが好ましく、具体的には、長手両側縁（Ｙ方向両端）より１０〜３０ｍｍの位置にＸ方向に沿って延在するよう設けられることが好ましい。
【００３７】
なお、図示は省略するが、折り畳み線Ｓ１、Ｓ２を、エンボス加工部１４により形成することとしても良い。
また、図示は省略するが、エンボス加工部１４以外の部分にも、例えば格子状のエンボス加工等を施すこととしても良い。
また、剛性強化部として、折り畳み線Ｓ１、Ｓ２を備えず、エンボス加工部１４、１４のみ備えた構成とすることもできる。
【００３８】
また、このようなＸ方向に沿って延在するエンボス加工部１４は、上記した２本以外にも、更に複数本、Ｘ方向に沿って延在するよう設けることとしても良い。
【００３９】
＜変形例２＞
次に、変形例２のペット用吸収性シート１Ｂについて説明する。
変形例２のペット用吸収性シート１Ｂは、例えば、図９、１０に示すように、剛性強化部として、折り畳み線Ｓ１、Ｓ２の他に、表面シート１１と吸収体１３との間においてホットメルト型接着剤により接着された接着部１５、１５を備えている。
【００４０】
接着部１５、１５は、当該ペット用吸収性シート１Ｂの長手両側縁部においてＸ方向に沿って延在するよう形成されている。
かかる接着部１５、１５は、例えば、２〜１０ｍｍの幅で帯状に形成されることが好ましい。接着部１５の幅が２ｍｍより小さいと、所望の剛性を発揮できず、１０ｍｍより大きいと、排泄液の吸収が阻害される虞があるためである。
接着部１５、１５は、表面シート１１と吸収体１３との間で接着剤を硬化させて形成されるため周囲と比較して硬度が高く、このため、Ｘ方向の剛性を高めることが可能となっている。
【００４１】
このように構成することで、変形例２のペット用吸収性シート１Ｂは、当該ペット用吸収性シート１Ｂにおいて最も撓みやすい長手両側縁部の剛性が高まるため、当該ペット用吸収性シート１Ｂをペット用トイレ１００のトレー１０２に長手方向一端部から挿入する場合にペット用吸収性シート１Ｂが撓むのをより効果的に防止することができ、トレー１０２に挿入し易く、且つ挿入後にトレー１０２との間に隙間が発生しづらくなる。
【００４２】
なお、図示は省略するが、接着部１５、１５を折り畳み線Ｓ１、Ｓ２に重なるように備えることとしても良い。
また、剛性強化部として、折り畳み線Ｓ１、Ｓ２を備えず、接着部１５、１５のみ備えた構成としても良いし、剛性強化部として、折り畳み線Ｓ１、Ｓ２、接着部１５、１５の他に、エンボス加工部１４、１４を備えることとしても良い。
また、このようなＸ方向に沿って延在する接着部１５、１５は、上記した２本以外にも、更に複数本、Ｘ方向に沿って設けることとしても良い。
【００４３】
＜変形例３＞
次に、変形例３のペット用吸収性シート１Ｃについて説明する。
変形例３のペット用吸収性シート１Ｃは、例えば、図１１、１２に示すように、剛性強化部として、折り畳み線Ｓ１、Ｓ２の他に、裏面シート１２の外面においてＸ方向に沿って延在するテープ部材１６、１６を備えている。
【００４４】
かかるテープ部材１６、１６は、例えば、折り畳み線Ｓ１、Ｓ２に重なるように、裏面シート１２の外面に備えられ、その幅は１０〜３０ｍｍであることが好ましい。
テープ部材１６としては、所定の剛性を有する基材シートの一面に粘着層を備えて成り、裏面シート１２の外面から貼着可能な帯状のものが好ましい。
かかるテープ部材１６、１６を貼着した場合、基材シートの剛性により周囲と比較して硬度が高くなり、このため、Ｘ方向の剛性を高めることが可能となっている。
【００４５】
このように構成することで、変形例３のペット用吸収性シート１Ｃは、Ｘ方向の剛性がより高まるため、当該ペット用吸収性シート１Ｃをペット用トイレ１００のトレー１０２に長手方向一端部から挿入する場合にペット用吸収性シート１Ｂが撓むのをより効果的に防止することができ、トレー１０２に挿入し易く、且つ挿入後にトレー１０２との間に隙間が発生しづらくなる。
【００４６】
なお、剛性強化部として、折り畳み線Ｓ１、Ｓ２を備えず、テープ部材１６、１６のみ備えた構成としても良いし、剛性強化部として、折り畳み線Ｓ１、Ｓ２、テープ部材１６、１６の他に、接着部１５、１５及び／又はエンボス加工部１４、１４を備えることとしても良い。
また、このようなＸ方向に沿って延在するテープ部材１６、１６は、上記した２本以外にも、更に複数本、Ｘ方向に沿って設けることとしても良い。
【００４７】
＜変形例４＞
次に、変形例４のペット用吸収性シート１Ｄについて説明する。
変形例４のペット用吸収性シート１Ｄは、例えば、図１３、１４に示すように、剛性強化部として、折り畳み線Ｓ１、Ｓ２の他に、吸収体１３の表面シート１１側においてＸ方向に沿って延在する、バインダで繊維を接合して形成されたエアレイド層１７、１７を備えている。
【００４８】
かかるエアレイド層１７、１７は、折り畳み線Ｓ１、Ｓ２に重なるように備えられ、その幅は２０〜４０ｍｍであることが好ましい。
【００４９】
なお、エアレイド層１７、１７は、エアレイド不織布で構成される。エアレイド不織布は、たとえば、親水性繊維と熱可塑性樹脂繊維とを混合したものを空気中に分散させ、金網、細孔を有するスクリーンを通過させ、その下を走行するワイヤ上に落下させた後、水溶性バインダを噴霧し、加熱処理を施して、熱可塑性樹脂繊維と親水性繊維とを熱溶着させることで製造される。なお、水溶性バインダを使用せずに、熱可塑性樹脂繊維の表面を親水性繊維に融着させて熱可塑性樹脂繊維と親水性繊維とを熱溶着させてもよい。この場合、熱可塑性樹脂繊維の表面が熱可塑性樹脂繊維と親水性繊維とを熱溶着させるバインダとなる。
かかるエアレイド層１７、１７は、吸収体１３と比較して硬度の高いものであり、このため、Ｘ方向の剛性を高めることが可能となっている。
【００５０】
このように構成することで、変形例４のペット用吸収性シート１Ｄは、Ｘ方向の剛性がより高まるため、当該ペット用吸収性シート１Ｄをペット用トイレ１００のトレー１０２に長手方向一端部から挿入する場合にペット用吸収性シート１Ｂが撓むのをより効果的に防止することができ、トレー１０２に挿入し易く、且つ挿入後にトレー１０２との間に隙間が発生しづらくなる。
【００５１】
なお、剛性強化部として、折り畳み線Ｓ１、Ｓ２を備えず、エアレイド層１７、１７のみ備えた構成としても良いし、剛性強化部として、折り畳み線Ｓ１、Ｓ２、エアレイド層１７、１７の他に、エンボス加工部１４、１４、接着部１５、１５、テープ部材１６、１６の一又は複数を備えることとしても良い。
また、このようなＸ方向に沿って延在するエアレイド層１７、１７は、上記した２本以外にも、更に複数本、Ｘ方向に沿って設けることとしても良い。
【符号の説明】
【００５２】
１、１Ａ、１Ｂ、１Ｃ、１Ｄ  ペット用吸収性シート
１１  表面シート
１２  裏面シート
１３  吸収体
Ｓ１、Ｓ２、Ｓ４、Ｓ５  折り畳み線（剛性強化部）
Ｓ３  折り畳み線
１４  エンボス加工部（剛性強化部）
１４１  高圧縮部
１４２  低圧縮部
１５  接着部（剛性強化部）
１６  テープ部材（剛性強化部）
１７  エアレイド層（剛性強化部）
１００  ペット用トイレ
１０１  トイレ本体
１０２  トレー
【図１】
0005996942.tif 000002
【図２】
0005996942.tif 000003
【図３】
0005996942.tif 000004
【図４】
0005996942.tif 000005
【図５】
0005996942.tif 000006
【図６】
0005996942.tif 000007
【図７】
0005996942.tif 000008
【図８】
0005996942.tif 000009
【図９】
0005996942.tif 000010
【図１０】
0005996942.tif 000011
【図１１】
0005996942.tif 000012
【図１２】
0005996942.tif 000013
【図１３】
0005996942.tif 000014
【図１４】
0005996942.tif 000015
【図１５】
0005996942.tif 000016
【図１６】
0005996942.tif 000017